【手続補正書】
【提出日】平成17年2月7日(2005.2.7)
【手続補正１】
【補正対象書類名】明細書
【補正対象項目名】全文
【補正方法】変更
【補正の内容】
【書類名】        明細書
【発明の名称】    スノーボード用レール
【特許請求の範囲】
【請求項１】  ゲレンデ等に設置され、スノーボード等で滑走するスノーボード用レールであって、
複数のレール部品を接続して直線又は曲線形状に形成されたレールと、
前記レール部品を支える支持手段と、
前記支持手段を設置する雪又は土の中に埋め込まれる設置手段と、
で構成されたスノーボード用レール。
【請求項２】  前記レール部品が第１パイプ状体で形成され、該レール部品の接続は、一方の第１パイプ状体に他方の第１パイプ状体を差し込むことである請求項１に記載のスノーボード用レール。
【請求項３】  前記支持手段が前記レールを支持する支持部材及び該支持部材と垂直に接続される第２パイプ状体とで構成され、該支持部材と前記レールとをボルトで固定するために、該支持部材に該ボルトを挿通するためのボルト挿通孔を設け、該第２パイプ状体に前記レールの高さを調節し、前記設置手段と固定されるためのピンを挿通するためのピン挿通孔が設けられた請求項１又は２に記載のスノーボード用レール。
【請求項４】  前記設置手段が、前記支持手段の第２パイプ状体が一端から挿入され、他端が円錐の第３パイプ状体と、該円錐の付近に設けられた螺旋状体と、該螺旋状体の付近に設けられた棒状体とで構成される請求項３に記載のスノーボード用レール。
【発明の詳細な説明】
【０００１】
【発明の属する技術分野】
本発明はスノーボードで滑走するためのスノーボード用レールに関する。
【０００２】
【従来の技術】
スキー場においてスノーボードで滑走するために、スキー場のゲレンデかハーフパイプと呼ばれる断面Ｕ字型のコースが使用されている。
【０００３】
また、スノーボーダーは、雪上だけでなく障害物をコースに見立てて、その障害物上を滑るようになった。その一つとして、米国などの一部のスノーボーダーがパイプで形成されたレール上を滑走する競技をおこなっている。
【０００４】
しかし、レール及びレールを支持する部材の設置は溶接によっておこなわれており、溶接する機材をスキー場に持っていかなくてはならない。一度レールを設置すると簡易にコースを作り変えることもできない。また、工場などでレール及びレールを支持する部材を溶接する場合、ゲレンデまで輸送しなければならないので、レールの長さに制限が生じ、ゲレンデの地形によって設置できる場所が限定される。
【０００５】
【発明が解決しようとする課題】
そこで本発明の目的は、スノーボードで滑走でき、且つ自由にコースを設計することが可能であるスノーボード用レールを提供することにある。
【０００６】
【課題を解決するための手段】
本発明に係るスノーボード用レールの要旨は、ゲレンデ等に設置され、スノーボード等で滑走するスノーボード用レールであって、複数のレール部品を接続して直線又は曲線形状に形成されたレールと、前記レール部品を支える支持手段と、前記支持手段を設置する雪又は土の中に埋め込まれる設置手段とで構成される点にある。
【０００７】
また、本発明は、前記レール部品が、第１パイプ状体で形成され、該レール部品の接続は、一方の第１パイプ状体に他方の第１パイプ状体を差し込むことを特徴とする。
【０００８】
前記支持手段は前記レールを支持する支持部材及び該支持部材と垂直に接続される第２パイプ状体とで構成され、該支持部材と前記レールとをボルトで固定するために、該支持部材に該ボルトを挿通するためのボルト挿通孔を設け、該第２パイプ状体に前記レールの高さを調節し、前記設置手段と固定されるためのピンを挿通するためのピン挿通孔が設けられる。
【０００９】
前記設置手段は、前記支持手段の第２パイプ状体が一端から挿入され、他端が円錐の第３パイプ状体と、該円錐の付近に設けられた螺旋状体と、該螺旋状体の付近に設けられた棒状体とで構成される。
【００１０】
【発明の実施の形態】
次に、本発明に係るスノーボード用レールの実施の形態について図面を基にして説明する。
【００１１】
本発明のスノーボード用レールは、図１乃至４に示すように、スノーボードが滑走する直線又は曲線形状に構成されたレール１２と、レール１２の高さを自在に調節し、そのレール１２を支える支持手段１６と、支持手段１６を設置するために雪又は土の中に埋め込まれる設置手段２６と、で構成されている。
【００１２】
レール１２は、図３に示すように複数のレール部品１４（第１パイプ状体）を接続して構成され、レール部品１４の数でレール１２の長さを自在に変更することができる。このレール部品１４の中身は中空である。レール部品１４には、ボルト２２が螺着できるネジ穴が設けられている。
【００１３】
支持手段１６は、断面がＬ字型の支持部材１８とこの支持部材１８に垂直に接続された支持用パイプ２０（第２パイプ状体）とで構成されている。支持部材１８には、レール１２と支持部材１８とを固定するためのボルト２２を挿通するためのボルト挿通孔が開けられている。また、支持用パイプ２０にはレール１２の高さを調節するためのピン３４を挿通するピン挿通孔２４が複数開けられている。
【００１４】
設置手段２６は、一端から支持用パイプ２０が挿入され、他端が円錐の設置用パイプ２８（第３パイプ状体）、その円錐の付近に設けられた螺旋状体３０及びその螺旋状体３０の付近に設けられた棒状体３２で構成される。また、支持手段１６と設置手段２６とを固定するために、設置用パイプ２８には、支持用パイプ２０のピン挿通孔２４と同時にピン３４が挿通されるピン挿通孔が開けられている。
【００１５】
スノーボード用レール１０を構成するレール１２、支持手段１６及び設置手段２６は、鋼材で作製されている。ゲレンデで使用するので、鋼材の表面にフッ素樹脂などによる被覆をほどこし、さび止めをおこなうのが好ましい。
【００１６】
本発明のスノーボード用レール１０の設置方法について説明する。先ず、圧雪された雪をスコップなどで任意の深さまで掘る。設置手段２６の棒状体３２を持って設置用パイプ２８を回転させながら、棒状体３２が雪穴の底付近にくるまで雪の中に挿入していく。設置用パイプ２８の一端が円錐になっており、且つ円錐の付近に螺旋状体３０が設けられているので、設置用パイプ２８の一端がドリルのような形状になっている。従って、雪を上方へかきあげながら設置用パイプ２８を雪の中に挿入することができ、設置手段２６が雪の中に設置される。
【００１７】
設置手段２６を雪の中に設置した後、支持手段１６の支持用パイプ２０を設置手段２６の設置用パイプ２８の中に挿入する。支持用パイプ２０のピン挿通孔２４と設置用パイプ２８のピン挿通孔とを合わせてピン３４を挿通させ、ピン３４の先端をＬ字型のピン止め３５で固定することで、支持手段１６と設置手段２６とが固定される。支持用パイプ２０には複数のピン挿通孔２４が設けられているので、所望の高さになるようにピン挿通孔２４を選択する。また、支持用パイプ２０の一番端のピン挿通孔２４は、支持用パイプ２０の先端から少なくとも２０ｃｍ以上離れた位置に設けておくことによって、設置用パイプ２８に挿入される支持用パイプ２０が少なくとも２０ｃｍ以上になり、設置用パイプ２８に対して支持用パイプ２０が不安定になることは無い。設置手段２６に支持手段１６が固定された後、最初に開けられた雪穴を埋め、設置手段２６及び支持手段１６が倒れないようにする。雪穴を埋めたことによって、棒状体３２及び螺旋状体３０がストッパーになって設置手段２６及び支持手段１６が雪の中から抜けないようになる。
【００１８】
支持部材１８の上にレール部品１４を置き、支持部材１８のボルト挿通孔にボルト２２を挿通させた後、このボルト２２をレール部品１４のネジ穴に螺着することによって、支持手段１６にレール部品１４が取り付けられる。支持部材１８の断面がＬ字型になっているため、断面が円形のレール部品１４は、どのような大きさでも支持部材１８と接続できる。
【００１９】
設置手段２６及び支持手段１６は複数箇所に設置され、それぞれの支持手段１６とレール部品１４が固定される。複数のレール部品１４を接合することによって、図３ａ，ｂに示すように直線又は曲線形状のレール１２が形成される。レール１２の端部は図示するように曲げておくことによって、スノーボードをレール１２上に乗せるのを失敗しても、スノーボーダーはけがをしにくい。また、レール１２の先端は図示するように雪面に接するようにしても良いし、雪面から離れても良い。レール部品１４の接合は図４に示すように、一方のレール部品１４が他方のレール部品１４に挿入することで接合される。このため、レール部品１４の一端の内径を広くする。スノーボードの滑走する方向は、図４において右から左である。
【００２０】
上記の方法で設置されたスノーボード用レール１０のレール１２上を図５に示すようにスノーボード３３で滑走することによって、非常にバランス感覚を有する競技をおこなうことができる。
【００２１】
また、設置手段２６がコンクリートで地面に固定されないので、使用後は簡単に解体することができ、解体後は元のゲレンデ状態に戻すことができる。
【００２２】
以上、本発明の実施例について説明したが、本発明に係るスノーボード用レールは、その他の態様でも実施し得るものである。例えば、レール１２として使用されるレール部品１４を楕円形、方形又は板にすることも可能である。このように楕円形、方形又は板を使用することによって、円形に比べてバランス感覚を必要とせず、難易度の低いコースを設計することができる。
【００２３】
また、スノーボード用レール１０を並列に並べてバランス感覚をほとんど必要としないコースを設計しても良い。レール１２は、複数のレール部品１４を接続して形成されたが、レール１２の距離が短ければ、１本のレール部品１４で構成される。
【００２４】
図６ａ，ｂのようにレール部品３６の端部にボルト４０が挿通されるボルト挿通孔を設け、ボルト４０が螺着できるネジ穴４１を持った挿入部材３８をレール部品３６の中に挿入して、ボルト挿通孔にボルト４０を通し、ボルト４０をネジ穴４１に螺着することによって、レール部品３６が接続されても良い。図４の接続方法と比較して段差ができないので、滑走しやすいレール１２を設置することができる。更に、図６ｃに示すように、一方のレール部品４２に挿入部材３９をスポット溶接で溶接し、他方のレール部品４２のボルト挿通孔にボルト４０を通し、ネジ穴４１と螺着しても良い。
【００２５】
また、図７に示すように、一方のレール部品４４の端部にネジ穴４８を設け、他方のレール部品４４の端部をネジ穴４８に合うネジ部材４６を溶接し、ネジ作用によってレール部品４４を接続することも可能である。
【００２６】
レール１２の長さを調節するために、図８に示すように、一部がテーパー状になった接続用パイプ５２を用いることも可能である。レール部品５０の端部にピンが差し込めるピン挿入孔を設け、図８のように接続用パイプ５２をレール部品５０に挿入し、所望の長さでレール部品５０のピン挿入孔と接続用パイプ５２のピン挿入孔５４とを合わせ、そのピン挿入孔５４にピンを挿入することによって、レール部品５０と接続用パイプ５２が接続される。また、接続用パイプ５２の他端には他のレール部品５０を挿入する。図８において滑走する方向は左から右である。
【００２７】
支持手段１６の支持部材２０は、断面がＬ字型になっていたが、レール部品１４の形状に合わせ、レール部品１４と支持部材２０との隙間が無いようにしても良い。
【００２８】
また、支持手段１６を図９ａの支持手段８２に変更することもできる。この支持手段８２は、レール部品１４を支える支持部材８０が、レール部品１４との接触部材５６、その接触部材５６の突出部にかみ合わされてスライドするスライド５８、スライド５８に接続された球状体６０及び球状体６０に取り付けられた棒状体６２で構成される。図９ｂに示すように、スライド５８にボルト挿通孔７９を設け、ナット７８を溶接して、ボルト７６によって接触部材５６を挟持し、接触部材５６とスライド５８とを固定する。接触部材５６には、図１０に示すように、ボルト８６が挿通できるボルト挿通孔が開けられており、レール部品１４のネジ穴とでボルト８６が螺着できる。また、支持部材８０が接続される支持用パイプ６３には、支持部材８０の球状体６０が受け止められるストッパー６４、支持部材８０を固定するために棒状体６２を固定するためのボルト６６の取り付け部及びネジ部材６８が設けられている。設置手段８４の設置用パイプ７２の上方部にネジ穴７０を設け、このネジ穴７０とネジ部材６８とをネジ作用で接続する。球状体６０を用いているので、設置手段８４及び支持手段８２が斜めに設置されても球状体６０によって角度を補正することができる。また、接触部材５６とスライド５８とはスライドできるので、レール部品１４のネジ穴と接触部材５６のボルト挿通孔とがずれても補正することができる。更に、スライド５８からボルト６６を覆う可撓性のカバーを設け、突出した部分をカバーすることもできる。このことによって、スノーボーダーがレール部品１４から転落しても、ボルト６６などでけがをすることがなく、雪が解けたしずくによって、ボルト６６などが凍結することはない。支持用パイプ２０，６３で、雪面より上方の部分に上述した可撓性のカバーを設けて、スノーボーダー及びスキーヤーなどの衝突した際のけがの防止を行うことも可能である。
【００２９】
レール１２の安定度を増すために、図１１のように支持用パイプ２０を２本にした支持手段８８を設けても良い。この場合、支持用パイプ２２のそれぞれに設置手段２６を設ける。支持用パイプ２２が２本に増えたことによって、レール部品１４の安定度が増す。
【００３０】
支持手段１６と設置手段２６との固定は、それぞれのピン挿通孔を合わせてピン３４を挿通させることによって固定されたが、設置手段２６のピン挿通孔をボルトが挿通できるボルト挿通孔にし、支持手段１６のピン挿通孔２４をボルトが螺着できるネジ穴にして、ボルト挿通孔とネジ穴とを合わせ、ボルトをネジ穴に螺着して固定することも可能である。
【００３１】
雪穴の中に設置手段２６を設置したが、積雪が十分でないゲレンデにおいては、土の中に設置することも可能である。また、設置手段２６の設置用パイプ２８の長さが長ければ、雪穴を掘らずに、設置用パイプ２８を回転させながら雪の中に挿入していくことも可能である。設置手段２６の安定させて、支持手段１６が倒れないために、棒状体３２の本数を増やしても良い。更に、棒状体３２，７４において、設置用パイプ２８との接続付近で回転自在の軸を設け、棒状体３２，７４が折り畳めるようにしても良い。棒状体３２，７４は設置用パイプ２８とネジ作用で付け外しを行うことも可能である。また、ピン３４のピン挿通孔と棒状体３２との距離が長ければ、棒状体３２を設置用パイプ２８に貫通させて取り付けることもでき、棒状体３２が自在に取り付け及び取り外しができるようにしても良い。
【００３２】
螺旋状体３０及び棒状体３２を設けていない設置手段を使用しても良い。この場合、設置用パイプ２８をハンマーなどでたたいて雪又は土の中に埋め込む。また、設置用パイプ２８が安定せず、レール１２が揺れるのなら、図１２に示すように板状又は円盤状の安定板９２を設けて、設置手段９０の安定を確保することも可能である。
【００３３】
レール１２、支持手段１６及び設置手段２６は鋼材で構成されていたが、一部又は全てをステンレス、プラスチック又は木材に変更しても良い。また、レール部品１４及び支持用パイプ２０は中身が空洞であったが、プラスチックや木材を使用するのなら、強度を強くするために中身のある円柱に変更しても良い。
【００３４】
支持手段１６と設置手段２６とを一体に構成しても良い。この場合、長さの異なる支持手段１６と設置手段２６とを一体に構成した部材を用意し、レール１２の高さを調節する。
【００３５】
その他、本発明はその趣旨を逸脱しない範囲で当業者の知識に基づき種々なる改良、修正及び変形を加えた態様で実施できるものである。また、同一の作用又は効果が生じる範囲内で、いずれかの発明特定事項を他の技術に置換した形態で実施しても良い。更に、一体に構成されている発明特定事項を複数の部材から構成しても、複数の部材から構成されている特定事項を一体に構成した形態で実施しても良い。
【００３６】
【発明の効果】
本発明のスノーボード用レールによれば、任意の高さや曲線を持ったレールを設置することができ、難易度を自由に調節することが可能である。スノーボード用レールは、レール、支持手段及び設置手段より構成されており、スキー場にて組み立てることができるため、スキー場までの輸送に制約は無く、スキー場のゲレンデの地形に合わせて自由に設置することができる。
【００３７】
また、レールは複数のレール部品を接合して構成されるため、自由にレール長を変更することが可能である。レール部品同志を接合するので、円滑に摺動させて接合できる。
【００３８】
更に、支持装置は支持手段と設置手段とが分かれており、レールの高さが変わっても支持手段及び設置手段の形状は同じであるので、支持手段及び設置手段の量産は容易である。
【００３９】
設置手段の設置用パイプの端部を円錐にし、螺旋状体を設けたので、雪の中への挿入が容易である。また、棒状体及び螺旋状体によって設置手段が雪の中から抜けないようになっている。
【図面の簡単な説明】
【図１】
本発明のスノーボード用レールの図である。
【図２】
図１のスノーボード用レールのＡ−Ａ線断面図である。
【図３】
本発明のスノーボード用レールをゲレンデに設置した図であり、（ａ）は側面図であり、（ｂ）は上面図である。
【図４】
レール部品の接続の図である。
【図５】
レール上にスノーボードで滑走する図である。
【図６】
レール部品の他の接続形態を示した図であり、（ａ）は側面図であり、（ｂ）は断面図であり、（ｃ）は一方のレール部品に挿入部材を溶接した図である。
【図７】
レール部品をネジ作用で接続する図である。
【図８】
レールの長さを調節するための接続用パイプを使用した図である。
【図９】
支持手段の他の実施形態を示す図であり、（ａ）は正面図であり、（ｂ）はスライドの一部の拡大図である。
【図１０】
図９の支持手段とレールとの接続状体を示した側面図である。
【図１１】
２本の支持用パイプを有する支持手段の図である。
【図１２】
安定板を設けた設置手段の図である。
【符号の説明】
１０：スノーボード用レール
１２：レール
１４，３６，４２，４４，５０：レール部品（第１パイプ状体）
１６，８２，８８：支持手段
１８，８０：支持部材
２０，６３：支持用パイプ（第２パイプ状体）
２２，４０，６６，７６，８６：ボルト
２４，５４：ピン挿通孔
２６，８４，９０：設置手段
２８，７２：設置用パイプ（第３パイプ状体）
３０：螺旋状体
３２，６２，７４：棒状体
３３：スノーボード
３４：ピン
３５：ピン止め
３８，３９：挿入部材
４１，４８，７０：ネジ穴
４６，６８：ネジ部材
５２：接続用パイプ
５６：接触部材
５８：スライド
６０：球状体
６４：ストッパー
７８：ナット
７９：ボルト挿通孔
９２：安定板